(57)【要約】【課題】タッチ・センシティブ・スクリーンの上でデータ入力のセキュリティを増すための電子装置と方法。【解決手段】電子装置は、ＣＰＵと、複数のキーを表示するように動作可能なタッチ・センシティブ・スクリーンと、を備える。複数のキーの各々は、所定の値に結びついて、その値を示しており、それらのキーは、キーの所定の値がランダムな態様で表示されるように配置されている。それら複数のキーの所定の値は、複数のキーが種々の外観を有するようにそれらと結びついた異なる所定のディスプレイ特性を有する。【選択図】図１
2014512041.tif 000002
【特許請求の範囲】
【請求項１】
ＣＰＵと、
複数のキーを表示するように動作可能なタッチ・センシティブ・スクリーンであって、該複数のキーは、所定の値に結びついて、該値を示しており、該キーは、該キーの該所定の値がランダムな態様で表示されるように配置され、該複数のキーの該所定の値は、該複数のキーが種々の外観を有するようにそれらと結びついた異なる所定のディスプレイ特性を有する、タッチ・センシティブ・スクリーンと、
を備える電子装置。
【請求項２】
前記キーの前記異なる所定のディスプレイ特性は、フォアグランド・カラー、バックグラウンド・カラー、バックグラウンド・パターン、形状、および、フォントからなるグループから選択される、請求項１に記載の電子装置。
【請求項３】
前記複数のキーの各々は、特定の数値キーが、固定ディスプレイ特性で表示されるように、所定の固定ディスプレイ特性と結びついた所定の固定数値特性を有する、請求項１に記載の電子装置。
【請求項４】
前記複数のキーの各々は、特定の英数字値キーが、固定ディスプレイ特性で表示されるように、所定の固定ディスプレイ特性と結びついた所定の固定英数字値特性を有する、請求項１に記載の電子装置。
【請求項５】
前記キーの、前記所定の固定値特性及び、結びついたディスプレイ特性を格納するために使用可能なメモリを更に備える請求項１に記載の電子装置。
【請求項６】
前記ＣＰＵは、キーパッド・フォーマットで前記キーの配列をランダム化するのに使用可能である、請求項１に記載の電子装置。
【請求項７】
ＣＰＵと、
ランダム化された態様で配置された、複数の連続値を表示するように動作可能なタッチ・センシティブ・スクリーンであって、該表示された連続値は、ユーザーの入力によって、データ入力をもたらす該スクリーンの上の少なくとも１つの所定の場所に移動されるのに使用可能である、タッチ・センシティブ・スクリーンと、
を備える電子装置。
【請求項８】
前記連続値は、配列で表示される、請求項７に記載の電子装置。
【請求項９】
前記連続値は、マトリクスで表示される、請求項７に記載の電子装置。
【請求項１０】
前記連続値は、ホイール・フォーマットで表示される、請求項７に記載の電子装置。
【請求項１１】
前記連続値は、異なるバックグラウンド・カラーで表示される、請求項７に記載の電子装置。
【請求項１２】
前記連続値は、異なるバックグラウンド・パターンで表示される、請求項７に記載の電子装置。
【請求項１３】
前記連続値は、異なる形状で表示される、請求項７に記載の電子装置。
【請求項１４】
前記連続値は、異なるフォントで表示される、請求項７に記載の電子装置。
【請求項１５】
前記連続値は、複数の配列で表示され、
各々の配列は、一旦ユーザー入力が受信されるならば、さらなる入力からロックされるために使用可能な、請求項７に記載の電子装置。
【請求項１６】
タッチ・センシティブ・スクリーンの上に複数のキーを表示するステップであって、
該複数のキーは、該キーの各々が、所定の値を示し、該所定の値と結びついているように表示され、
該キーは、該キーの該所定の値がランダムな態様で表示されるように配置され、
前記キーは、各々、各キーの前記所定の値と結びついた所定のディスプレイ特性を示すために表示される、ステップと、
前記複数の表示されたキーを介してユーザー入力を受信するステップと、
を含む電子装置の上の安全なデータ入力のための方法。
【請求項１７】
前記キーは、キーパッド・フォーマットにおいてランダムな態様で配置される、請求項１６に記載の方法。
【請求項１８】
前記キーは、ホイール・フォーマットでランダムな態様で配置される、請求項１６に記載の方法。
【請求項１９】
前記ユーザー入力は、データ入力をもたらす、前記ランダムな態様で配置されたキーに触れる、請求項１６に記載の方法。
【請求項２０】
前記ユーザー入力は、データ入力をもたらす、ランダムな態様で配置されたキーを移動する、請求項１６に記載の方法。
【請求項２１】
前記キーの前記所定のディスプレイ特性は、フォアグランド・カラー、バックグラウンド・カラー、バックグラウンド・パターン、形状、および、フォントからなるグループから選択される、請求項１６に記載の方法。
【発明の詳細な説明】
【技術分野】
【０００１】
本願開示は、タッチ・センシティブ・スクリーンの上での安全なデータ入力のためのシステムと方法に関するものである。
【背景技術】
【０００２】
タッチ・センシティブ・スクリーンまたはタッチスクリーンは、ユーザ・インターフェースとして、多くの装置、例えば、スマート・フォン、パーソナル携帯情報機器、タブレット型コンピューター、キオスク、ＡＴＭ端末、ＰＯＳターミナル、その他のコンピューティング装置などで一般的に用いられる。タッチスクリーンは、ユーザーがデータを入力して、スクリーンの表示された要素を直接接触することによって選択するように、ディスプレイとデータ入力との結合を可能にする。タッチスクリーンの使用は、特に、モバイル機器で一般的である。より大きなディスプレイスクリーンにより多くの領域を与えるために、キーボードを削除したためである。
【０００３】
セキュリティ・データ（例えば、パスワードやＰＩＮデータなど）の入力は、しばしば、例えば、ウェブサイト、会計アカウント、買い物アカウント、他の保護データや、装置自体の使用など特定のリソースにアクセスすることを要求される。そのようなセキュリティ・データを入力するために、キーパッドがタッチスクリーンの上で示される場合、ユーザーは、悪意の犯罪者によってセキュリティ・データをデコードするのに用いることができる指紋パターンや指運動パターンを、無意識に与えるかもしれない。したがって、秘密で保護されたデータとリソースへのそのようなアクセスを大幅に少なくするか、削減するためのソリューションが必要となる。
【発明の概要】
【０００４】
タッチ・センシティブ・スクリーンの上でデータ入力のセキュリティを増すために、電子装置と方法が考えられた。
【０００５】
この電子装置は、ＣＰＵと、複数のキーを表示するのに使用可能なタッチ・センシティブ・スクリーンを備える。この複数のキーは、所定の値に結びついて、その値を示しており、それらのキーは、キーの所定の値がランダムな態様で表示されるように配置されている。この複数のキーの所定の値は、該複数のキーが種々の外観を有するようにそれらと結びついた異なる所定のディスプレイ特性を有する。
【０００６】
電子装置は、ＣＰＵと、ランダム化された態様で配列された複数の連続値を表示するのに使用可能なタッチ・センシティブ・スクリーンと、を備え、その表示された連続値は、ユーザーの入力によって、データ入力をもたらす該スクリーンの上の少なくとも１つの所定の場所に移動されるのに使用可能である。
【０００７】
電子装置の上の安全なデータ入力のための方法は、タッチ・センシティブ・スクリーンの上に複数のキーを表示するステップであって、該複数のキーは、該キーの各々が、所定の値を示し、該所定の値と結びついているように表示され、それらのキーは、該キーの該所定の値がランダムな態様で表示されるように配置されており、前記キーは、各々、各キーの前記所定の値と結びついた所定のディスプレイ特性を示すために表示される、ステップを含む。この方法は、さらに、前記複数の表示されたキーを介してユーザー入力を受信するステップを含む。
【図面の簡単な説明】
【０００８】
【図１】図１は、電子計算装置の例示的な実施形態の簡略ブロック図である。
【図２】図２は、セキュリティ・データのユーザー入力を受信するための例示的な連続的なランダム・キーパッドを表示しているタッチスクリーンの図表現である。
【図３】図３は、キーに対する種々のバックグラウンド・パターンを用いた例示的なランダム・キーパッドを表示しているタッチスクリーンの図表現である。
【図４】図４は、キーに対する種々のフォントを使用した例示的なランダム・キーパッドを表示しているタッチスクリーンの図表現である。
【図５】図５は、キーに対する種々の形状を使用した例示的なランダム・キーパッドを表示しているタッチスクリーンの図表現である。
【図６】図６は、３つのスライド可能なキー配列を使用した例示的なランダム・キーパッドを表示しているタッチスクリーンの図表現である。
【図７】図７は、ロックされた状態における３つのスライド可能なキー配列のうちの１つを示す、例示的なランダム・キーパッドを表示しているタッチスクリーンの図表現である。
【図８】図８は、ホイール・フォーマットにおける例示的なランダムに配置されたキーを表示しているタッチスクリーンの図表現である。
【発明を実施するための形態】
【０００９】
図１は、電子計算装置１０の例示的な実施形態の簡略ブロック図である。電子装置１０は、タッチ・センシティブ・ディスプレイスクリーン１２を採用しているいかなる装置または端末であっても良い。例えば、スマート・フォン、パーソナル携帯情報機器、パソコン、ラップトップコンピューター、ノート・パソコン、タブレット型コンピューター、キオスク、ＡＴＭ端末、ＰＯＳターミナルや、他の計算装置などである。そのような電子装置１０は、ソフトウェアを実行するための、ＣＰＵ（中央演算処理装置）１４を含み、それは、処理、計算、決定や通信機能を実行する。ＲＡＭ（ランダムアクセスメモリ）、ＲＯＭ（読取り専用メモリ）、ハードディスクの形のメモリ１６、および／または、いかなる適切なデータ記憶装置も、その後の検索や計算のために必要とされる情報を格納するのに用いられる。電子装置１０は、所望のその他の周辺デバイスを含むことができる。
【００１０】
電子装置１０は、情報、アカウントまたは他の保護されたリソースを操作あるいは、アクセスするために、セキュリティ・コード（例えばパスワードまたはＰＩＮ）を要求することができる。例えば、スマート・フォン、パーソナル携帯情報機器またはタブレット型コンピューターは、その装置を使用を可能にするために、アンロックするパスワードを要求することができる。他の例として、ＡＴＭは、ユーザーが預金口座にアクセスするために、ＰＩＮの正しいエントリを要求することができる。
【００１１】
図２は、セキュリティ・データのユーザー入力を受信するためのキーパッド・フォーマットにおける、例示的なランダムに配置されたキーを表示しているタッチスクリーンの図表現である。２０−２４の数字によって参照されるランダム配置は、ユーザーがセキュリティ・コードに入力するよう求められる３つの別々な連続した時刻を表現する。図２で示すように、キーは、ユーザーが保護リソースにアクセスするたびに、スクランブルされる値を示し、その値と結びついている。したがって、セキュリティ・コードの桁の位置が、毎回異なるので、タッチスクリーンの上に残ったユーザーの指の動きや指紋も、各回異なる。これらのランダムなバリエーションは、犯罪者による、セキュリティ・コードを得るために指の動きや指紋をデコードする悪意のある試みを妨害することができる。
【００１２】
しかしながら、研究によれば、ランダム・キーパッドの使用は、しばしば、ユーザーを混乱させて、セキュリティ・データの入力ミスを引き起こす。
【００１３】
図３は、キーに対する種々の異なるバックグラウンド・パターンを用いた例示的なランダム・キーパッド２６を表示しているタッチスクリーンの図表現である。各々のキーは、順番に特定のバックグラウンド・パターンと関連した特定の値、例えば、数値または英数字、と結びついている。したがって、図３の中の例で示すように、数値「１」は、キーパッドにおけるその場所は毎回変わるが、常にパターンのないバックグラウンドで表示される。同様に例において、数値「３」は、常にグリッド・バックグラウンド・パターンで表示され、数値「７」は、常に一連の水平破線で表示され、数値「２」は、常にドットのバックグラウンドで表示される、などである。このように示されるときは、キーパッドにおける数値の位置は、毎回変化するが、ユーザーが、時間とともに、その数値で、同一のバックグラウンド・パターンを連想するようになるので、入力ミスにつながる混乱は、大幅に減らすことができる。
【００１４】
同様に、他のディスプレイ特性における変化、例えば、バックグラウンド・カラーや、キーのフォアグランド・カラー、は、また、ユーザーの混乱の程度を減らすのに用いることもできる。例えば、数値「５」は、常に赤いバックグラウンド・カラーで表示され、数値「７」は、常に黄色のバックグラウンド・カラーで表示され、数値「６」は、常に青いバックグラウンド・カラー、その他で表示される、などである。フォアグランド・カラーが異なる別の例において、数値「２」は、常に赤いフォアグランド・カラーで表示され、数値「６」は、常に青いフォアグランド・カラーで表示され、数値「８」は、常に緑のフォアグランド・カラーで表示される、などである。また、フォアグランド・カラーとバックグラウンド・カラーの色の組合せを、同様に効果的に使うこともできる。
【００１５】
図４は、キーに対する種々のフォントを使用した例示的なランダム・キーパッド２８を表示しているタッチスクリーンの図表現である。図４で示すように、さらにキーを区別して混乱を減らすために、順番に、特定のフォントと結びついている各々のキーは、特定の値、例えば、数字または英数字の値、と結びついている。
【００１６】
図５は、キーに対する種々の形状を使用した例示的なランダム・キーパッド３０を表示しているタッチスクリーンの図表現である。図５に示される別の実施形態において、各々のキーは、さらにキーを区別して、セキュリティ・データの誤った入力につながるユーザの混乱を減らすために、順番に、特定の形状と結びついた、例えば、数字または英数字の値のような特定の値と結びついている。したがって、図５で示すように、数値「２」は、常に三角形形のキーで表示され、数値「７」は、常に円を描く形のキーで表示され、数値「８」は、常に五角形形のキーで表示される、などである。
【００１７】
フォアグランド・カラー、バックグラウンド・カラー、バックグラウンド・パターン、フォントと形状を含む種々のディスプレイ特性は、キーの外観とお互いを区別するために、組合せで使われるかもしれない。
【００１８】
図６は、３２−３６で３つのスライド可能な重要な配列を使っている典型的なランダムなキーパッドを示しているタッチスクリーンの図表現である。図６の中で示される実施形態において、各々の配列は、ランダムな方法で準備される数値を含む、そして、３つの配列の数値は、異なる順序で準備される。配列の各々は、示された数値の置き換えを生じる配列の軸に沿って、ユーザーの指の動きを受信するバーチャルな回転ダイヤルとして機能する。例えば、右への配列の上のユーザーの指の動きは、示された数字が右にシフトされる原因になり、左への配列の上の指の動きは、示された数字が左にシフトされる原因になる。したがって、データ入力は、数字を置くか、置き換えることによって、望ましい桁が、例えば、垂直マーク３８によってマークされた配列の中央点など配列の所定の場所の方へ動かされるように、達成できる。したがって、図６に示される例のために、３つの配列は、３桁機密保護コードのユーザーの入力を受信するのに用いられるかもしれない。
【００１９】
図７は、ロックされた状態における３つのスライド可能なキー配列３２−３６のうちの１つを示す、例示的なランダム・キーパッドを表示しているタッチスクリーンの図表現である。図７で示すように、配列３２は、セキュリティ・データの第１の桁に対する入力が受信されて、決まった場所にロックされたことを示す所定の文字、例えば、アスタリスク、「＊」）を示す。このように、タッチスクリーンの上の不注意なブラッシングは、すでに正しく入力された第１の桁を変えない。一度ロックされても、ユーザーは、まだ、ある他の所定の入力、例えば、表示されたアスタリスクをタップすることなど、によって、入力した桁を変えることができる。
【００２０】
図８は、ホイール・フォーマット４２における例示的なランダムに配置されたキーを表示しているタッチスクリーンの図表現である。図６および図７の中の配列フォーマットと同様に、ホイールの上のデータ入力は、数値がついているキーを「すべらせる」ことによって実行することができる。例えば、ホイール４２の中心４４の方に向かう選択されたキーの上でのユーザーの指の動きは、位置が動かされたキーの上で示されたその数字の入力を引き起こす。アスタリスクまたは別の適切なシンボルを、何桁が入力されたかについて示すために表示することができる。図８の例で示すように、セキュリティ・コードの１桁が入力され、残りの３桁が入力すべきものとして残っている。
【００２１】
以上のとおり、装置をアンロックするか、リソースをアクセスするために必要なセキュリティ・コードは、セキュリティ・コードを決定するのに用いることができる隠しきれない指の動きや、指紋を明らかにすることなく、より安全な方法で、タッチスクリーンの上で入力することができる。
【００２２】
新規であると信じられる本願発明の特徴は、添付の特許請求項範囲において特に下で述べられる。しかしながら、上で記載された例示的な実施形態への修正、変更や変形は、当業者にとって明らかであり、したがって、本願の電子装置と安全なデータ入力方法は、そのような修正、変更や変形を含み、ここに記述された特定の実施形態に限定されるものではない。
【図１】
2014512041.tif 000003
【図２】
2014512041.tif 000004
【図３】
2014512041.tif 000005
【図４】
2014512041.tif 000006
【図５】
2014512041.tif 000007
【図６】
2014512041.tif 000008
【図７】
2014512041.tif 000009
【図８】
2014512041.tif 000010
【国際調査報告】
2014512041.tif 000011